(57)【要約】【課題】      釣竿に安定した装着ができる釣り用リ−ルのスプ−ルケ−スを提供することである。【解決手段】  直方体状のケ−ス本体１と、ケ−ス本体１と一体的に連結された帯状の止めバンド２と、ケ−ス本体１の開口付近のケ−ス本体１と止めバンド２の連結位置に一側が固定されたカバ−体３で構成され、ケ−ス本体１と止めバンド２とカバ−体３はクロロプレ−ンゴム等の発泡ゴムシ−トの両面にナイロン織布層を設けたもの等、柔軟性を有する材料で構成されている。  止めバンド２の内側とカバ−体３の外側の間に釣竿６が当接され、止めバンド２の内側にゴムシ−ト等からなる滑り止め部材７が固定され、カバ−体３の外側にゴムシ−ト等からなる滑り止め部材８が固定されている。【選択図】        図３
2008048694.tif 000002
【特許請求の範囲】
【請求項１】
スプ−ルを収納するケ−ス本体に釣竿に取り付ける止めバンドを設け、該止めバントの釣竿当接側に滑り止め部材を設けたことを特徴とする釣り用リ−ルのスプ−ルケ−ス。
【請求項２】
前記止めバントの滑り止め部材と釣竿を挟んで対向するケ−ス本体側に滑り止め部材を設けたことを特徴とする請求項１記載の釣り用リ−ルのスプ−ルケ−ス。
【発明の詳細な説明】
【技術分野】
【０００１】
本発明は、釣竿に取り付けてスプ−ルを収納出来ると共に、ケ−スが釣竿に滑り止めされた釣り用リ−ルのスプ−ルケ−スに関する。
【背景技術】
【０００２】
従来釣竿にリ−ルを装着してこの釣竿を釣竿ケ−スに入れると嵩張るので多数入れることが出来ず、また多数の連れ座尾を収納しようとすると釣竿ケ−スが大型になり、携帯が不便になる欠点があった。
スプ−ルのみを収納して釣竿に装着する釣り用リ−ルのスプ−ルケ−スとして特許文献１のようにスプ−ル保持部と釣り竿への止着部を備えているものがあり、釣竿にスプ−ルのみ取り付けて釣竿ケ−スに収納している。
しかし、この釣り竿への止着部では不安定で脱落する恐れがあると共に釣り竿に対して回動するので持ち運ぶ時搖れて運びづらく、止着部で釣竿の表面に傷を付ける危険性がある。
【特許文献１】特開２００１−１９７８４８号公報
【発明の開示】
【発明が解決しようとする課題】
【０００３】
解決しようとする問題点は、特許文献１のようにスプ−ル保持部と釣り竿への止着部を備えているものでは、釣り竿への止着が不安定で脱落する恐れがあると共に釣り竿に対して回動するので持ち運ぶ時搖れて運びづらいことである。
【０００４】
本発明の目的は前記欠点に鑑み、釣竿に安定した装着ができる釣り用リ−ルのスプ−ルケ−スを提供することである。
【課題を解決するための手段】
【０００５】
本発明の請求項１は、スプ−ルを収納するケ−ス本体に釣竿に取り付ける止めバンドを設け、該止めバントの釣竿当接側に滑り止め部材を設けたことを要旨とするものである。
本発明の請求項２は、前記止めバントの滑り止め部材と釣竿を挟んで対向するケ−ス本体側に滑り止め部材を設けたことを要旨とするものである。
【発明の効果】
【０００６】
本発明により、ケ−ス本体の中にスプ−ルが収納されて釣竿に装着されるので、嵩張らない。
ケ−ス本体の中にスプ−ルが収納されて釣竿に取り付けられると、滑り止め部材が釣竿に当たるので釣り用リ−ルのスプ−ルケ−スが釣竿に対して移動が防止されて取り付けできる。
【発明を実施するための最良の形態】
【０００７】
釣り用リ−ルのスプ−ルケ−スＡは直方体状のケ−ス本体１と、ケ−ス本体１と一体的に連結された帯状の止めバンド２と、ケ−ス本体１の開口付近のケ−ス本体１と止めバンド２の連結位置に一側が固定されたカバ−体３で構成されている。
ケ−ス本体１と止めバンド２とカバ−体３はクロロプレ−ンゴム等のゴムやウレタン等の合成樹脂などのシ−トの両面にナイロン織布等の表面層を設けたもの等、柔軟性を有する材料で構成されている。
また、本実施例ではゴムまたは合成樹脂の発泡材を用いるため、その弾性、伸縮性により釣竿６に沿って釣竿６に押された状態で取り付けることができる。
ケ−ス本体１の横側面と止めバンド２の端の内側に夫々ベルベット式ファスナ−４、５が固定されてケ−ス本体１に止めバンド２を釣竿６を挟んで閉じた時ベルベット式ファスナ−４、５同士が止着される。
止めバンド２の内側とケ−ス本体１の開口を覆うことができる開閉可能に閉塞するカバ−体３の外側の間に釣竿６が当接され、止めバンド２の内側の釣竿６当接位置にゴムや合成樹脂等のシ−トからなる滑り止め部材７が固定され、カバ−体３の外側の釣竿６当接位置にゴムや合成樹脂等のシ−トからなる滑り止め部材８が固定されている。
ケ−ス本体１の中には釣り用リ−ルのスプ−ル９が収納される。
【実施例１】
【０００８】
以下、図示の実施例によって本発明を説明すると、図１から図３は第１実施例で、図１（ａ）はスプ−ルが釣り用リ−ルのスプ−ルケ−スに収納されて釣竿に取り付けられた斜視図で（ｂ）は（ａ）の状態で釣竿にスプ−ルがないスピニングリ−ルが装着した斜視図で（ｃ）はスピニングリ−ルにスプ−ルが装着されてスプ−ルケ−スが取り外された斜視図、図２は釣竿から取り外されたスプ−ルケ−スの斜視図、図３は釣竿にスプ−ルケ−スが取り付けられた断面正面図である。
【０００９】
釣り用リ−ルのスプ−ルケ−スＡは直方体状のケ−ス本体１と、ケ−ス本体１と一体的に連結された帯状の止めバンド２と、ケ−ス本体１の開口付近のケ−ス本体１と止めバンド２の連結位置に一側が固定されたカバ−体３で構成されている。
ケ−ス本体１と止めバンド２とカバ−体３はクロロプレ−ンゴム等のゴムやウレタン等の合成樹脂などのシ−トの両面にナイロン織布等の表面層を設けたもの等、柔軟性を有する材料で構成されている。
また、本実施例ではゴムまたは合成樹脂の発泡材を用いるため、その弾性、伸縮性により釣竿６に沿って釣竿６に押された状態で取り付けることができる。
ケ−ス本体１の横側面と止めバンド２の端の内側に夫々ベルベット式ファスナ−（止め具）４、５が設けられてケ−ス本体１に止めバンド２を釣竿６を挟んで閉じた時ベルベット式ファスナ−４、５同士が止着される。
【００１０】
止めバンド２の内側とケ−ス本体１の開口を覆うことができる開閉可能に閉塞するカバ−体３の外側の間に釣竿６が当接され、止めバンド２の内側の釣竿６当接位置にゴムや合成樹脂等のシ−トからなる滑り止め部材７が固定され、カバ−体３の外側の釣竿６当接位置にゴムや合成樹脂等のシ−トからなる滑り止め部材８が固定されている。
滑り止め部材７、８はそれぞれ止めバンド２、カバ−体３の表面よりも釣竿６に対する摩擦抵抗が大きい材料で形成され、シ−トの他に塗布することで滑り止め部材を層状に形成してもよい。
ケ−ス本体１の中には釣り用リ−ルのスプ−ル９が収納されると撓んで、ケ−ス本体１はその材料の柔軟性でスプ−ル９に合致した形状となる。
スプ−ル９には釣糸１０が巻回されてケ−ス本体１の前側に釣糸１０を導入する切欠き１ａが形成されている。
この実施例では、止めバンド２とケ−ス本体１側のカバ−体３で釣竿６を挟んで保持し、しかもその両方に滑り止め部材７、８が対向するようになるためケ−ス本体１が釣竿６に対し移動が防止され、確実な取り付けができる。
【００１１】
釣竿６が保管されたり、釣り場に携行される時は図１（ａ）のように、ケ−ス本体１内に収納されたスプ−ル９に釣糸１０が巻回されて釣糸１０は釣竿６の釣糸ガイド１１、１２、１３、１４、１５、１６を通しておいて釣り場ですぐに使用出来る状態に準備されている。
釣竿６が保管されたり、釣り場に携行される時は図１（ａ）の状態の単独であってもよいし、図１（ａ）の状態の複数本を他の大きな釣竿ケ−スに収納してもよい。
釣り場では図１（ｂ）のように釣竿６にスプ−ルがないスピニングリ−ル１７が装着され、次に図１（ｃ）のように釣り用リ−ルのスプ−ルケ−スＡのケ−ス本体１の中からスプ−ル９が取り出されてスピニングリ−ル１７に装着されると共に釣竿６から釣り用リ−ルのスプ−ルケ−スＡが取り外される。
【００１２】
釣竿６にはスプ−ル９が収納され釣り用リ−ルのスプ−ルケ−スＡが取り付けられるので、釣竿６にスピニングリ−ル１７全体が装着されるより嵩張らない。
釣り用リ−ルのスプ−ルケ−スＡの止めバンド２の内側とカバ−体３の外側の間に釣竿６が当接され、止めバンド２の内側の釣竿６当接位置の前後にゴムや合成樹脂等からなる滑り止め部材７が固定され、カバ−体３の外側の釣竿６当接位置の前後にゴムや合成樹脂等からなる滑り止め部材８が固定されているから、ケ−ス本体１の中にスプ−ル９が収納されて釣竿６に取り付けられると、滑り止め部材７、８が釣竿６に当たるので釣り用リ−ルのスプ−ルケ−スＡが釣竿６に対して滑ることが防止される。
【００１３】
前記のように釣り用リ−ルのスプ−ルケ−スＡが構成されると、ケ−ス本体１の中にスプ−ル９のみが収納されるので、釣竿６にスピニングリ−ル１７全体が装着されてケ−スで覆われるより嵩張らない。
ケ−ス本体１の中にスプ−ル９が収納されて釣竿６に取り付けられると、ケ−ス本体１と止めバンド２に固定された滑り止め部材７、８が釣竿６に当たるので釣り用リ−ルのスプ−ルケ−スＡが釣竿６に対して滑ることが防止される。
【実施例２】
【００１４】
図４は第２実施例で、図４は釣竿にスプ−ルケ−スが取り付けられた断面正面図である。
【００１５】
第２実施例では、釣り用リ−ルのスプ−ルケ−スＡは直方体状のケ−ス本体１と、ケ−ス本体１と一体的に形成されたカバ−体３′と、ケ−ス本体１の開口付近の外側のケ−ス本体１の外側に帯状の止めバンド２′の一側が固定されて構成されている。
ケ−ス本体１の中にスプ−ル９が収納されている。
他の構成は前記第１実施例と略同一である。
【実施例３】
【００１６】
図５は第３実施例で、図５はスプ−ルケ−スの止めバンドがケ−ス本体から外された斜視図である。
【００１７】
第３実施例では、釣り用リ−ルのスプ−ルケ−スＡは一側が開口されて他側が閉塞された円筒状のケ−ス本体１′と、ケ−ス本体１′の長手方向の一側に一端が固定された帯状の止めバンド２′と、ケ−ス本体１′の開口縁に蓋体１８の一側が固定されている。
ケ−ス本体１′の側面にベルベット式ファスナ−４と滑り止め部材８が設けられている。
帯状の止めバンド２′にはベルベット式ファスナ−５とゴムシ−ト等からなる滑り止め部材７が固定されている。
第３実施例では開口を閉塞するカバ−体が蓋体１８となってケ−ス本体１′に構成されている。
ケ−ス本体１′の開口縁の外側にベルベット式ファスナ−１９が固定されている。
蓋体１８には釣糸１０を導入する切欠き１８ａが形成され、側部にベルベット式ファスナ−付舌片２０が固定されている。
この実施例では釣竿６は止めバンド２′とケ−ス本体１′の側面によって挾持される。
他の構成は前記第１実施例と略同一である。
【００１８】
第３実施例で２点鎖線の釣竿６に釣り用リ−ルのスプ−ルケ−スＡが取り付けられる時は、ケ−ス本体１′の滑り止め部材８の上に釣竿６が載せられて帯状の止めバンド２′のベルベット式ファスナ−５がケ−ス本体１′のベルベット式ファスナ−４に止着される。
この時釣竿６は対向する滑り止め部材８と滑り止め部材７に当接される。
ケ−ス本体１′の中にスプ−ルが収納された後は蓋体１８が閉じられてベルベット式ファスナ−付舌片２０がベルベット式ファスナ−１９に重ねられて止着される。
【産業上の利用可能性】
【００１９】
前記説明では、釣り用リ−ルのスプ−ルケ−スの全般に利用できる。
【図面の簡単な説明】
【００２０】
【図１】第１実施例で、（ａ）はスプ−ルが釣り用リ−ルのスプ−ルケ−スに収納されて釣竿に取り付けられた斜視図で（ｂ）は（ａ）の状態で釣竿にスプ−ルがないスピニングリ−ルが装着した斜視図で（ｃ）はスピニングリ−ルにスプ−ルが装着されてスプ−ルケ−スが取り外された斜視図である。
【図２】同釣竿から取り外されたスプ−ルケ−スの斜視図である。
【図３】同釣竿にスプ−ルケ−スが取り付けられた断面正面図である。
【図４】第２実施例で、釣竿にスプ−ルケ−スが取り付けられた断面正面図である。
【図５】第３実施例で、スプ−ルケ−スの止めバンドがケ−ス本体から外された斜視図である。
【符号の説明】
【００２１】
Ａ  釣り用リ−ルのスプ−ルケ−ス
１、１′  ケ−ス本体
２、２′  止めバンド
３  カバ−体
６  釣竿
７、８  滑り止め部材
【図１】
2008048694.tif 000003
【図２】
2008048694.tif 000004
【図３】
2008048694.tif 000005
【図４】
2008048694.tif 000006
【図５】
2008048694.tif 000007